(57)【要約】【課題】弱視者や高齢者などのように健常者に比べて光に対する感度が低いロービジョン者であっても通路の壁面と床面との境界が認識しやすくなるガイド灯を提供する。【解決手段】ガイド灯１は、通路の壁面Ｗにおける床面Ｆとの境界付近に設置されている。ガイド灯１は、光源２と、光源２を収納する箱状の器体３とを有している。器体３は、前面に光源２からの光を取り出す出射窓となる開口が形成されるとともに、出射窓が透光性を有する乳白色のカバー４で覆われている。光源２は、器体３内に複数個設けられたＬＥＤからなり、これら複数個の光源２は、全体として壁面Ｗと床面Ｆとの境界に沿う線条を構成するように等間隔で列設されている。器体３は、光源２の点灯時に廊下の壁面Ｗと床面Ｆとの境界に沿ってライン状に光るカバー４が通路に存在する人Ｈに直視されるように配置されている。【選択図】図１
2008010376.tif 000002
【特許請求の範囲】
【請求項１】
通路の壁面と床面との境界に沿って設置される器体と、器体内に収納され通路の壁面と床面との境界に沿って線状に配置される光源とを備え、器体は、光源の点灯時に前記通路の壁面と床面との境界に沿って線状に光ることにより当該境界の位置を示す発光部が前記通路上の人に直視されるように配置されていることを特徴とするガイド灯。
【請求項２】
前記通路は階段であって、前記器体は、階段の各段の壁面と踏面との境界に沿ってそれぞれ設置されており、前記発光部が階段における各段の段鼻から蹴込み側に伸びるように配置されていることを特徴とする請求項１記載のガイド灯。
【請求項３】
前記器体は、前記通路の幅方向の両側に設置されていることを特徴とする請求項１または請求項２記載のガイド灯。
【発明の詳細な説明】
【技術分野】
【０００１】
本発明は、通路に設置され通行人の通行を補助するガイド灯に関するものである。
【背景技術】
【０００２】
従来から、室内において、新たな照明効果を得ることを目的として、壁面における床面との境界付近に取り付けられる幅木に光源を内蔵し、この光源を発光させることにより壁面と床面との境界周囲を照明するものが提供されている。
【０００３】
さらに、近年では、廊下や階段などの通路において、照度が十分でない夜間などに通行を補助するガイド灯として上述の幅木を利用することが考えられている。ガイド灯は、点灯時に通路を視認しやすくすることにより、通行人の通行を補助する。
【０００４】
この種のガイド灯としては、幅木の上面と下端部とにそれぞれ透光部を設け、各透光部を通して幅木に内蔵された光源からの光を壁面と床面とのそれぞれに出射するものがある（たとえば特許文献１参照）。この照明器具では、幅木周辺の壁面と床面とを照明することができ、これにより、通路を通る人は、幅木周辺の壁面と床面とを視認できることになる。
【特許文献１】特開２００５−２８２２５７号公報（第３頁）
【発明の開示】
【発明が解決しようとする課題】
【０００５】
しかし、特許文献１に記載の発明では、幅木周辺の壁面と床面との両方が特に明暗の差もなく光って見えることとなるので、弱視者や高齢者などのように健常者に比べて光に対する感度が低い人（以下、ロービジョン者という）にとっては、壁面と床面との境界を認識しにくく、その結果、通路の形状を把握できず通行が困難になる。特に、壁面と床面とで色彩が類似する場合には、ロービジョン者にとって壁面と床面との境界を一層認識しにくくなる。
【０００６】
本発明は上記事由に鑑みて為されたものであって、弱視者や高齢者などのように健常者に比べて光に対する感度が低いロービジョン者であっても通路の壁面と床面との境界が認識しやすくなるガイド灯を提供することを目的とする。
【課題を解決するための手段】
【０００７】
請求項１の発明では、通路の壁面と床面との境界に沿って設置される器体と、器体内に収納され通路の壁面と床面との境界に沿って線状に配置される光源とを備え、器体は、光源の点灯時に前記通路の壁面と床面との境界に沿って線状に光ることにより当該境界の位置を示す発光部が前記通路上の人に直視されるように配置されていることを特徴とする。
【０００８】
この構成によれば、器体が、光源の点灯時に前記通路の壁面と床面との境界に沿って線状に光ることにより当該境界の位置を示す発光部が前記通路上の人に直視されるように配置されているので、発光部からの直接光が通路上の人に直視されることとなる。したがって、通路上の人の視界においては、ガイド灯とガイド灯の周囲の壁面や床面との明暗の差が大きくなり、弱視者や高齢者などのように健常者に比べて光に対する感度が低いロービジョン者であっても、ガイド灯の位置を認識することができる。これにより、弱視者であっても通路の壁面と床面との境界の位置を容易に認識することができ、当該通路の通行が容易になる。
【０００９】
請求項２の発明は、請求項１の発明において、前記通路が階段であって、前記器体が、階段の各段の壁面と踏面との境界に沿ってそれぞれ設置されており、前記発光部が階段における各段の段鼻から蹴込み側に伸びるように配置されていることを特徴とする。
【００１０】
この構成によれば、器体は、発光部が階段における各段の段鼻から蹴込み側に伸びるように配置されているので、発光部の位置によって階段における各段の段鼻の位置を通行人に認識させることができる。その結果、階段で通行人が足を踏み外す事故を防止することができる。
【００１１】
請求項３の発明は、請求項１または請求項２の発明において、前記器体が、前記通路の幅方向の両側に設置されていることを特徴とする。
【００１２】
この構成によれば、通路の幅方向の両側に設置された一対のガイド灯の間隔は、当該通路の幅寸法に略同じであるから、弱視者であってもガイド灯の位置に基づいて通路幅を認識することができ、当該通路の通行が一層容易になる。
【発明の効果】
【００１３】
本発明は、器体が、光源の点灯時に通路の壁面と床面との境界に沿って線状に光ることにより当該境界の位置を示す発光部が前記通路上の人に直視されるように配置されているので、発光部からの直接光が通路上の人に直視されることとなる。つまり、通路上の人の目にはガイド灯からの直接光が入射することとなる。ガイド灯からの直接光とその他の光(たとえば壁面や床面での反射光など）とでは明暗の差が大きいので、通路上の人の視界においては、ガイド灯とガイド灯の周囲の壁面や床面との明暗の差が大きくなる。したがって、健常者はもちろんのこと、弱視者や高齢者などのように健常者に比べて光に対する感度が低いロービジョン者であってもガイド灯の位置を容易に認識することができ、ガイド灯の位置に基づいて壁面と床面との境界を容易に認識することが可能となる。その結果、弱視者であっても通路の通行が容易になるという利点がある。
【発明を実施するための最良の形態】
【００１４】
以下の各実施形態では弱視者を、健常者に比べて光に対する感度が低い人（いわゆるロービジョン者）の一例として説明するが、弱視者を他のロービジョン者（たとえば高齢者）に読み替えてもよい。
【００１５】
（実施形態１）
本実施形態のガイド灯１は、図１（ａ）に示すように、通路を構成する廊下の壁面Ｗにおける床面Ｆとの境界付近（つまり下部）に設置されている。ガイド灯１は、光源２と、光源２を収納する箱状の器体３とを有している。器体３は一部が廊下の壁に埋め込まれる形で設置されており、廊下に臨む面に壁面Ｗと床面Ｆとの境界に沿って長い矩形状に開口し光源２からの光を取り出す出射窓が形成されるとともに、出射窓が透光性を有するカバー４で覆われている。以下では、ガイド灯１のうち廊下に臨む面、つまり光源２からの光を取り出す面を前面とする。
【００１６】
光源２は、図１（ｂ）のように器体３内に複数個設けられたＬＥＤ（発光ダイオード）からなり、これら複数個の光源２は、壁面Ｗと床面Ｆとの境界に沿って列設されている。複数個の光源２は、全体として壁面Ｗと床面Ｆとの境界に沿うライン状となるように等間隔で配置される。光源２は、器体３の前面に沿って器体３内に収納される基板（図示せず）の前面側に配列されており、当該基板の前方に光を出射する。
【００１７】
ここにおいて、器体３は、光源２の点灯時に廊下の壁面Ｗと床面Ｆとの境界に沿ってライン状に光ることにより当該境界の位置を示す発光部が廊下を通る人Ｈに直視されるように配置されている。本実施形態では光拡散性を有する乳白色のカバー４を採用し、光源２からの光をカバー４で拡散するようにしている。そのため、光源２の点灯時にはカバー４が光っているように見え、カバー４が前記発光部として機能することとなる。
【００１８】
図２に、本実施形態のガイド灯１を複数台設置する例を示す。これら複数台のガイド灯１は、光源２の床面Ｆからの高さを所定高さに揃えて設置されている。所定高さは、たとえば１０〜１５ｃｍの範囲から選択される。複数台のガイド灯１は、壁面Ｗと床面Ｆとの境界に沿って所定の間隔を空けて断続的に配置されている。ここでは、一例としてガイド灯１自体の長手方向（壁面Ｗと床面Ｆとの境界に沿う方向）の寸法を６０ｃｍ程度とする。このように、ガイド灯１を所定間隔で配置すれば、廊下に設置するガイド灯１の台数を少なく抑えることができるので、ガイド灯１を設置する施工作業が簡単になり、且つガイド灯１の設置にかかるコストを低コストに抑えることができる。
【００１９】
一方、図３に示すように、複数台のガイド灯１を、壁面Ｗと床面Ｆとの境界に沿って密に連続して配置してもよい。この場合に、複数台のガイド灯１は点灯時に壁面Ｗと床面Ｆとの境界に沿う帯状の光を発することとなる。ただし、この場合でも、ガイド灯１自体の大きさが決まっているので壁面Ｗの端から端まで隙間なくガイド灯１を設置することは困難であり、図３のように、廊下の曲がり角において壁面Ｗの角部を挟む２個のガイド灯１の間には適宜隙間が設けられることがある。
【００２０】
上述のように本実施形態のガイド灯１を廊下に設置すると、図１（ａ）に矢印Ａで示すようにカバー４（発光部）からの直接光が廊下を通る人Ｈに直視されることとなる。つまり、廊下上の人Ｈの目には、ガイド灯１から出射され壁面Ｗや床面Ｆで反射された反射光のみならず、ガイド灯１からの直接光が入射することとなる。壁面Ｗや床面Ｆでの反射光とガイド灯１からの直接光とでは明暗の差（コントラスト）が大きいので、廊下上の人Ｈの視界においては、ガイド灯１とガイド灯１の周囲の壁面Ｗや床面Ｆとのコントラストが高くなる。ここで、本実施形態のガイド灯１では、輝度制御と配光制御とにより、健常者および弱視者のいずれにとっても、認識し易く且つ眩しく感じない程度の光学設計としている。
【００２１】
その結果、健常者はもちろんのこと、弱視者であってもガイド灯１の位置を容易に認識することができ、ガイド灯１の位置に基づいて壁面Ｗと床面Ｆとの境界を容易に認識することが可能となる。仮に、壁面Ｗと床面Ｆとで色彩が類似していても、壁面Ｗと床面Ｆとの境界が容易に認識されることとなる。このように、壁面Ｗと床面Ｆとの境界を廊下上の人Ｈに認識させることにより、廊下の形状を廊下上の人Ｈに把握させることができるので、当該廊下の通行が困難になることはない。特に、途中で幾つかに分岐している廊下では、曲がり角の存在を廊下上の人Ｈに認識させることにより、廊下上の人Ｈが通行しやすくなる効果は大きい。
【００２２】
しかも、ガイド灯１は、廊下の幅方向の端部に位置するので、弱視者がガイド灯１からの光を頼りに通行する際にはガイド灯１からの光を直視できるものの、健常者においてはガイド灯１から視線を逸らして廊下を通行することも可能である。さらに、複数個の光源２を列設して帯状の光を実現しているので、目の障害などで視野欠損のある通行人でも、ガイド灯１の位置を容易に認識できる。
【００２３】
また、ここでは廊下の幅方向の両側にそれぞれガイド灯１を設置することにより、廊下の幅方向に並ぶ一対のガイド灯１の間隔から廊下の幅を認識できるようにしてある。廊下の幅が認識されると、通行時に壁面Ｗにぶつかることを回避し易くなり、通行が一層容易になるという利点がある。
【００２４】
なお、上述のように本実施形態のガイド灯１は壁面Ｗ下部に器体３の一部が埋め込まれる形で設置されるから、ガイド灯１を設置する施工は比較的簡単で、且つ壁面Ｗからの突出寸法を小さく抑えることにより廊下を通る人Ｈの足がガイド灯１に引っ掛かるなどの不具合を回避できる。
【００２５】
ところで、近年、導光部材（図示せず）を用いて光源２からの光を導光することにより発光面積を広げる構成が広く採用されており、この構成をガイド灯１に採用することも考えられる。つまり帯状の導光部材を壁面Ｗと床面Ｆとの境界に沿って配置し、当該導光部材の端部に光源２を設けて、光源２からの光によって導光部材を発光させることが考えられる。
【００２６】
しかし、光源２からの光は導光部材内で分散し且つ導光部材内でも光損失は生じるので、導光部材から出射される光は、光源２から直接取り出される光に比べて光量が劣ることになる。しかも、導光部材を用いる構成では、光源２から離れるに従って導光部材から出射される光量が低下するので、導光部材において光源２付近と光源２から離れた位置とでは輝度が均一にはならないおそれがある。このように輝度が均一でないと、弱視者は、ガイド灯１の光を、足元灯などの照明器具の光や他の照明器具からの反射光と誤って認識してしまうことがある。
【００２７】
すなわち、上述したように健常者および弱視者のいずれにとっても認識し易く且つ眩しく感じない程度の光学設計とするガイド灯１においては、導光部材を用いて発光面積を広げる構成は、十分な輝度が得られず且つ輝度が均一でないという点で好ましくなく、本実施形態のように複数個の光源２をライン状に列設することが望ましい。
【００２８】
以下、本実施形態のガイド灯１の具体例について図４を参照して説明する。
【００２９】
図４のガイド灯１は、壁面Ｗに開口された埋込穴６に設置される。器体３は、前面に出射窓が開口するとともに前端部の全周に亘って鍔部３ａが突出した形状に形成されており、鍔部３ａの背面を壁面Ｗの埋込穴６の周縁に当接させる形で前端部を除く大部分が埋込穴内に配置される。カバー４は、鍔部６も含めて器体３の前面を覆う形に形成された矩形板状の主板４ａと、主板４ａの周縁から壁面Ｗとの隙間を埋めるように立設された周壁４ｂとを有しており、主板４ａに貫設された取付穴に挿通される一対の取付ねじ７によって器体３に取り付けられる。カバー４は乳白色のポリカーボネート製であって、器体３はステンレス製で白色塗装が施されている。
【００３０】
器体３とカバー４とに囲まれた空間には、光源２としてのＬＥＤが複数個配列されたＬＥＤユニット８が収納される。光源２の出力光には白色光を採用している。白色光は、赤色光のように「止まれ」や「危険」などの特定の意味を持たないので、壁面Ｗと床面Ｆとの境界を認識させるためのガイド灯１には適している。
【００３１】
図４のガイド灯１の寸法を一例として示しておく。この例では、器体３の鍔部３ａを除く幅寸法を３４ｍｍ、カバー４の幅寸法を５０ｍｍ、器体３の鍔部３ａを除く長手寸法を３２２ｍｍ、カバー４の長手寸法を３４４ｍｍ、取付ねじ７の間隔を３１４ｍｍ、壁面Ｗから器体３の背面までの寸法を３８ｍｍ、壁面Ｗからの器体３の突出寸法を１２ｍｍに設定してある。ここでは、光源２としてのＬＥＤは器体３の長手方向に沿って３６個配列されている。壁面Ｗに形成される埋込穴６においては、幅寸法を４０ｍｍ、長手寸法を３３０ｍｍに設定してある。
【００３２】
また、光源２の構成としてＬＥＤのような点光源を複数個列設する構成に代えて、図５（ｂ）に示すように、蛍光灯などの線状光源を採用してもよい。線状光源であれば、光源２からの光が連続した線条に見えることとなる。
【００３３】
ただし、蛍光灯を光源２とする場合には光源２の周面の略全面から光が出射されるので、光源２からの光を前方に効率的に取り出すために、反射板５を用いることが望ましい。たとえば、図５（ａ）に示すように、器体３において光源２の後方に位置する背面と、光源２の下方に位置する底面とに跨る形で配置される反射板５を採用する。この反射板５は、光源２の長手方向に直交する断面が円弧の一部となる形状に形成されることにより、斜め下後方に凸となるように湾曲しており、光源２からの光を斜め上前方に効率よく取り出すように配光制御する。
【００３４】
なお、本発明のガイド灯１には種々のデザインを適用可能であって、一般に幅木を取り付けることのない公共施設等の通路にも違和感無く設置することができる。また、ガイド灯１を設置する通路は屋内に限るものではなく、ガイド灯１に防水機能を付与することにより屋外の通路にガイド灯１を設置することもできる。
【００３５】
（実施形態２）
本実施形態のガイド灯１は、透明のカバー４を採用している点が実施形態１のガイド灯１とは相違する。つまり、カバー４ではなく光源２そのものが光源２の点灯時に廊下の壁面Ｗと床面Ｆとの境界に沿ってライン状に光る発光部として機能する。そのため、器体３は、通路を通行する人Ｈが発光部としての光源２を直視できるように配置される。その他の構成および機能は実施形態１と同様である。
【００３６】
本実施形態では、ガイド灯１は図６に示すように通路を構成する階段に設置されている。ここでは、壁面Ｗにおける床面Ｆ（階段の踏面、つまり踏み板の上面）との境界付近（つまり下部）に設置されている。ガイド灯１は、各段の床面Ｆに対して通路の幅方向の各側方に１台ずつ設置される。
【００３７】
ところで、従来から、階段の各段の床面Ｆにおいて段鼻Ｅに沿って蛍光テープを貼り付けることにより段鼻Ｅの位置を通行人に認識され易くすることが一般に行われているが、蛍光テープで反射された反射光程度では、弱視者にとっては認識しにくい可能性があるので、自発光式の器具等で段鼻Ｅの位置を示すことが望ましい。
【００３８】
そこで、本実施形態では以下の構成を採用することにより、ガイド灯１によって段鼻Ｅの位置を示している。
【００３９】
ガイド灯１は、複数個の光源２のうち最も階段の下段側に位置する光源２を、床面Ｆの段鼻Ｅの真上に位置させるように配置されている。つまり、複数個の光源２の集まりを帯状の光源とみれば、当該帯状の光源は、長手方向における階段の段鼻Ｅ側の一端縁が床面Ｆの段鼻Ｅの真上に位置し、床面Ｆに沿って蹴込み側に延長された形になる。この構成によれば、ガイド灯１の光に基づいて段鼻Ｅの位置を認識できるから、壁面Ｗと床面Ｆ（ここでは踏面）との境界がガイド灯１により認識できるだけでなく、各段の段鼻Ｅの位置もガイド灯１によって認識できることとなる。
【００４０】
さらに、この構成では、各段における段鼻Ｅの全域に亘ってガイド灯１を設置する場合に比べて、ガイド灯１の必要台数を抑えることができるから、低コストで施工も簡単になり、且つ、踏み板そのものには加工は必要ないので、ガイド灯１を設けたことにより踏み板の強度が低下することもないという利点がある。
【００４１】
また、上述のガイド灯１は、図７に示すように、器体３の一部を踏み板に埋め込む形で床面Ｆに設置されていてもよい。図７のガイド灯１は、壁面Ｗと床面Ｆとの境界に沿って配置され、長手方向における段鼻Ｅ側の一端縁を各段の段鼻Ｅ付近に位置させている。これにより、上述の図６のガイド灯１と同様の効果を得ることができる。
【００４２】
以下、本実施形態のガイド灯１の具体例について図８を参照して説明する。
【００４３】
図８のガイド灯１は、壁面Ｗあるいは床面Ｆに予め埋設された前面開口の埋込ボックス９に取り付けられる。埋込ボックス９は、ステンレス製であって、前面側の長手寸法を小さくする段差９ａを前端部に有するとともに、前面の長手方向の両端部から互いに近づく向きに一対の取付片９ｂが延出された形状に形成されている。器体３は、出射窓の前面側の開口面積を大きくする段差３ｂを前端部に有するとともに、前端部の全周に亘って鍔部３ａが突出した形状に形成されており、鍔部３ａの背面を埋込ボックス９の取付片９ｂに当接させる形で前端部を除く大部分が埋込ボックス９内に配置され、鍔部３ａに貫設された取付穴に挿通される一対の取付ねじ７によって埋込ボックス９に取り付けられる。
【００４４】
カバー４は、矩形板状に形成され、周部の背面を器体３の段差３ｂに対向させる形で鍔部３ａに囲まれた位置に固定される。カバー４は透明の強化ガラスからなり、前面が鍔部３ａの前面と面一になる厚み寸法に設定されている。器体３はステンレス製であって塗装が施されている。器体３とカバー４とに囲まれた空間には、光源２としての白色ＬＥＤが複数個配列されたＬＥＤユニット８が収納される。
【００４５】
なお、器体３とカバー４とに囲まれた空間に充填剤等を充填し、この空間の空気を排除することによりカバー４の背面に結露が生じない構造としてもよい。
【００４６】
図８のガイド灯１の寸法を一例として示しておく。この例では、器体３の鍔部３ａを除く幅寸法を４６ｍｍ、器体３の鍔部３ａを含めた幅寸法を６２ｍｍ、器体３の鍔部３ａを除く長手寸法を１３４ｍｍ、器体３の鍔部３ａを含めた長手寸法を１７４ｍｍ、取付ねじ７の間隔を１５０ｍｍ、壁面Ｗ（あるいは床面Ｆ）から器体３の背面までの寸法を２７ｍｍ、壁面Ｗ（あるいは床面Ｆ）からの器体３の突出寸法を６ｍｍに設定してある。ここでは、光源２としてのＬＥＤは器体３の長手方向に沿って１列に１０個配列されている。埋込ボックス９においては、幅寸法を５２ｍｍ、長手寸法を２０４ｍｍ、壁面Ｗ（あるいは床面Ｆ）から背面までの寸法を６５ｍｍに設定してある。
【００４７】
また、ガイド灯１は、出射光の範囲が、壁面Ｗと床面Ｆとのいずれにも照射しない範囲のみに限定されていてもよい。ガイド灯１からの光が壁面Ｗと床面Ｆとのいずれにも照射しない範囲に配光制御されていると、ガイド灯１の周囲の壁面Ｗや床面Ｆが光って見えることはないので、通路上の人Ｈの視界において、ガイド灯１とガイド灯１の周囲の壁面Ｗや床面Ｆとの明暗の差が一層大きくなり、ガイド灯１の位置をより一層認識しやすくなる。
【００４８】
ガイド灯１からの光が壁面Ｗと床面Ｆとのいずれにも照射しない範囲に配光制御する構成としては、たとえば光源２の前方に光を遮る遮光板を配置し、不要方向（つまり壁面Ｗ方向および床面Ｆ方向）への光を遮光することが考えられる。あるいは、光源２の周囲に反射板を配置し、光源２からの光が壁面Ｗと床面Ｆとのいずれにも照射しない範囲に出射されるように配光制御するようにしてもよい。このように反射板を用いた場合には、光源２に代えて反射板が、光源２の点灯時に廊下の壁面Ｗと床面Ｆとの境界に沿ってライン状に光る発光部として機能する。
【００４９】
なお、特定の指向性を有するＬＥＤを光源２として採用し、器体３内での光源２の向きを適宜することにより、ガイド灯１からの光を壁面Ｗと床面Ｆとのいずれにも照射しない範囲に配光制御することもできる。たとえば器体３を壁面Ｗに埋め込んで取り付ける場合には、床面Ｆ側に光が出射されないように、光の出射方向が斜め上前方となる向きで光源２を器体３内に収納する。
【図面の簡単な説明】
【００５０】
【図１】本発明の実施形態１のガイド灯の設置例を示し、（ａ）は断面図、（ｂ）は斜視図である。
【図２】同上のガイド灯を複数台設置する例を示す斜視図である。
【図３】同上のガイド灯を複数台設置する他の例を示す斜視図である。
【図４】同上のガイド灯の具体例を示し、（ａ）は正面図、（ｂ）は縦断面図、（ｃ）は横断面図である。
【図５】同上の他のガイド灯の設置例を示し、（ａ）は断面図、（ｂ）は斜視図である。
【図６】本発明の実施形態２のガイド灯の設置例を示す正面図である。
【図７】同上のガイド灯の他の設置例を示す斜視図である。
【図８】同上のガイド灯の具体例を示し、（ａ）は正面図、（ｂ）は縦断面図、（ｃ）は横断面図である。
【符号の説明】
【００５１】
１  ガイド灯
２  光源
３  器体
４  カバー（発光部）
Ｆ  床面
Ｈ  人
Ｗ  壁面
【図１】
2008010376.tif 000003
【図２】
2008010376.tif 000004
【図３】
2008010376.tif 000005
【図４】
2008010376.tif 000006
【図５】
2008010376.tif 000007
【図６】
2008010376.tif 000008
【図７】
2008010376.tif 000009
【図８】
2008010376.tif 000010